(57)【特許請求の範囲】
【請求項１】
第１の形式の信号を受信する第１の受信部と、
前記第１の受信部で受信した前記第１の形式の信号を表示又は記録可能な形式の信号に変換するデコーダ部と、
前記第１の受信部及び前記デコーダ部を制御する第１の制御部と、
を備える受信装置と、
前記第１の形式の信号を記録再生する記録再生部と、
前記第１の制御部及び前記記録再生部を制御する第２の制御部と、
を備える記録再生装置と、
外部からの制御信号を受信する制御信号受信部と、
を備える受信信号記録再生システムであって、
前記受信装置は、前記記録再生装置と信号の送受信を行なう第１の信号入出力手段を有し、
前記記録再生装置は、前記受信装置と信号の送受信を行なう第２の信号入出力手段、並びに前記第２の信号入出力手段で受信した信号に基づいた信号及び前記第２の制御部の制御信号に基づいた信号を表示装置に出力する信号出力手段とを有し、
前記制御信号受信部に前記受信装置に対する制御信号が入力された場合には、前記第２の制御部は、前記第１の信号入出力手段及び前記第２の信号入出力手段を介して、前記第１の形式の信号、又は前記第１の制御部により生成された前記受信装置に関する情報を前記出力手段より表示装置に出力させ、
前記制御信号受信部に前記記録再生装置に対する制御信号が入力された場合には、前記第２の制御部が前記記録再生装置に関する情報を前記出力手段より前記表示装置に出力させることを特徴とする受信信号記録再生システム。
【請求項２】
前記受信装置に関する情報とは、前記受信装置の設定に関する情報であり、
前記記録再生装置に関する情報とは、前記記録再生装置の設定に関する情報であることを特徴とする請求項１に記載の受信信号記録再生システム。
【請求項３】
前記第１の形式の信号とは、映像信号であり、
前記第１の制御部は、前記受信装置又は前記記録再生装置に関する情報を、受信した映像信号若しくは再生した映像信号に重畳、又は受信した映像信号若しくは再生した映像信号に置換えさせて、前記第１の信号入出力手段より出力させることを特徴とする請求項１に記載の受信信号記録再生システム。
【請求項４】
前記第１の形式の信号は、ディジタル圧縮された映像信号であり、
前記第１の制御部は、前記第１の形式の信号を前記デコーダ部にディジタル圧縮を伸長させ、受信装置又は記録再生装置に関する情報を伸長した映像信号に重畳、又は伸長した映像信号に置換えさせて、前記第１の信号入出力手段より出力させることを特徴とする請求項１に記載の受信信号記録再生システム。
【請求項５】
第１の形式の信号を受信する第１の受信部と、
前記第１の受信部で受信した前記第１の形式の信号を表示又は記録可能な形式の信号に変換するデコーダ部と、
前記第１の受信部及び前記デコーダ部を制御する第１の制御部と、
を備える受信装置と、
第２の形式の信号を受信する第２の受信部と、
前記でコーダ部第１の受信部で受信された第１の形式の信号を記録再生する記録再生部と、
前記第１の制御部及び前記記録再生部を制御する第２の制御部と、
を備える記録再生装置と、
外部からの制御信号を受信する制御信号受信部と、
を備える受信信号記録再生システムであって、
前記受信装置は、前記記録再生装置と信号の送受信を行なう第１の信号入出力手段を有し、
前記記録再生装置は、前記受信装置と信号の送受信を行なう第２の信号入出力手段、並びに前記第２の信号入出力手段で受信した信号に基づいた信号、前記第２の制御部の制御信号に基づいた信号及び前記第２の受信部で受信した第２の形式の信号を表示装置に出力する信号出力手段とを有し、
前記制御信号受信部に前記受信装置に対する制御信号が入力された場合には、前記第２の制御部が前記第１の信号入出力手段及び前記第２の信号入出力手段を介して、前記デコーダ部で所定の変換をされた前記第１の形式の信号、又は前記第１の制御部により生成された前記受信装置に関する情報を前記出力手段より表示装置に出力させ、
前記制御信号受信部に前記記録再生装置に対する制御信号が入力された場合には、前記第２の形式の信号又は前記第２の制御部により生成された前記記録再生装置に関する情報を前記出力手段より表示装置に出力させることを特徴とする受信信号記録再生システム。
【請求項６】
前記受信装置に関する情報とは、前記受信装置の設定に関する情報であり、
前記記録再生装置に関する情報とは、前記記録再生装置の設定に関する情報であることを特徴とする請求項５に記載の受信信号記録再生システム。
【請求項７】
前記第１の形式の信号とは、映像信号であり、
前記第１の制御部は、前記出力手段に受信装置又は記録再生装置に関する情報を、受信した映像信号若しくは再生した映像信号に重畳、又は受信した映像信号若しくは再生した映像信号に置換えさせて、出力させることを特徴とする請求項５に記載の受信信号記録再生システム。
【請求項８】
前記第１の形式の信号は、ディジタル圧縮された映像信号であり、
前記第１の制御部は、前記第１の形式の信号を前記デコーダ部にディジタル圧縮を伸長させ、受信装置又は記録再生装置に関する情報を伸長した映像信号に重畳、又は伸長した映像信号に置換えさせて、前記第１の信号入出力手段より出力させることを特徴とする請求項５に記載の受信信号記録再生システム。
【請求項９】
前記第２の形式の信号は、アナログ映像信号であることを特徴とする請求項５に記載の受信信号記録再生システム。
【発明の詳細な説明】
【技術分野】
【０００１】
本発明は、受信信号記録再生システムに関する。
【背景技術】
【０００２】
現在、家庭用の映像及び音声信号の記録再生機器としては、磁気テープを用いたアナロ
グ方式のビデオテープレコーダ（以下、ＶＴＲ）が実用化されている。
【０００３】
一方、次世代のテレビ放送としてデジタルテレビ放送が実用化され始めており、例えば
、アナログ映像及び音声信号をＭＰＥＧ（Moving Picture Experts Group）方式を用いて
高能率デジタル圧縮符号化し、衛星や同軸ケーブルを通して放送するシステムが知られて
いる。また、デジタル衛星放送を受信してアナログ映像及び音声信号を出力するデジタル
衛星放送受信器（以下、ＩＲＤ）も実用化され初めている。
【０００４】
なお、これらのデジタル放送システムに関しては、例えば、特許文献１に詳しく述べら
れている。
【０００５】
【特許文献１】テレビジョン学会誌、第４７巻、第４号（１９９３年）、第４８６頁〜第５０３頁、「５.放送サービスイメージ」
【発明の開示】
【発明が解決しようとする課題】
【０００６】
従来のＶＴＲでは、このようなデジタル放送を記録することは考えられておらず、内蔵
したアナログ放送受信用のチューナが供給する映像及び音声信号を記録することを前提と
しており、デジタル放送を記録するときには、ＩＲＤが出力する映像及び音声信号をＶＴ
Ｒの外部入力端子から入力して記録することになる。
【０００７】
しかし、ＶＴＲとＩＲＤは全く独立した装置であり、例えば、デジタル放送の番組を予
約録画するためには、ＩＲＤとＶＴＲの双方に予約の設定をする必要があり、両装置の操
作方法を正確に覚えなくてはならない。
【０００８】
本発明は、このような問題を解決するために、ＶＴＲとＩＲＤの操作手法を統一する手
段を提供することを目的とする。
【課題を解決するための手段】
【０００９】
本発明の一実施の態様は、例えば、特許請求の範囲のように記載する。
【発明の効果】
【００１０】
以上で説明したように、本発明によれば、ＶＴＲとＩＲＤがお互いの動作状態や設定内
容を設定したり取得したりできる通信を行い、ＩＲＤが、自機の状態をユーザーに報告す
る画面と同じ形態の画面を用いてＶＴＲの情報をユーザーに報告したり、自機の状態をユ
ーザーに設定させる画面と同じ形態の画面を用いてＶＴＲの状態をユーザーに設定させた
り、
また、同様に、ＶＴＲが、自機の状態をユーザーに報告する画面と同じ形態の画面を用
いてＩＲＤの情報をユーザーに報告したり、ＶＴＲが自機の状態をユーザーに設定させる
画面と同じ形態の画面を用いてＩＲＤの状態をユーザーに設定させたりすることで、ＶＴ
ＲとＩＲＤの操作が一体化されユーザーの操作が簡単になる。
【発明を実施するための最良の形態】
【００１１】
図１は本発明による磁気記録再生装置の一実施例を示す回路図である。この装置は、１
/２インチ酸化物テープにアナログ映像及び音声を磁気記録再生する記録再生装置の一例
を示している。
【００１２】
ここで、１００はＶＴＲ、２００はＩＲＤ、２５０はモニタテレビ（以下、ＴＶ）であ
る。また、矢印が付けられた一本線は映像及び音声の流れを示し、点線は制御の流れを示
している。
【００１３】
まず、ＶＴＲ100の構成要素を説明する。
【００１４】
１０はＩＲＤ200から供給されるデジタル放送の映像及び音声を入力することを前提と
した外部入力端子である。１１はアナログ放送信号を入力する入力端子、１２はアナログ
放送信号を受信して復調するアナログ放送受信チューナである。１３は入力ソースを切り
替える入力切替スイッチで、１３Ｖは映像信号を切り替える映像入力切替スイッチ、１３
Ａは音声信号を切り替える音声入力切替スイッチである。１４は映像及び音声の信号処理
回路で、１４Ｖは映像信号の処理を行う映像信号処理回路、１４Ａは音声信号の処理を行
う音声信号処理回路であり、記録時には記録処理した信号を磁気ヘッドに供給して記録し
、再生時には磁気ヘッドが再生した信号を再生処理して出力するように動作する。１５は
入力した映像信号または内部で生成する映像信号を背景に情報を多重するアナログ・オン
・スクリーン・ディスプレイ回路（以下、アナログＯＳＤ回路）である。ここで、入力し
た映像信号を背景に情報を表示することをスーパーインポーズ表示、内部で生成する映像
信号を背景に情報を表示することをブルーバック表示として、以下これらの用語を使用す
る。本実施例では、アナログＯＳＤ回路15は、ＶＴＲ100とＩＲＤ200の動作状態をスーパ
ーインポーズ表示するために用いられる。１６はＶＴＲ100から映像及び音声を出力する
出力端子である。２０はＶＴＲ100の動作全体の制御を行うＶＴＲシステム制御回路であ
り、上記で説明したＶＴＲ100の全ての構成要素の制御を行う。２６０はＶＴＲ100とＩＲ
Ｄ200の操作を行う釦群からなるリモコンであり、２６１はその受信部で、リモコンから
のユーザーの操作要求をＶＴＲシステム制御回路20に送信する。
【００１５】
図２は本実施例で用いるリモコン260の一例を示したものである。ここで、３００はＶ
ＴＲ100の電源をオン/オフさせる電源釦、３０１は数字を入力するための数字釦、３０２
及び３０３はＶＴＲ100のチャンネルをアップ/ダウンさせるチャンネルアップ/ダウン釦
、３０４及び３０５はＴＶ250の音量をアップ/ダウン
させる音量アップ/ダウン釦、３０６は番組ガイド画面を表示させるための番組ガイド釦
、３０７は設定画面を表示させるための設定画面釦、３０８は予約確認画面を表示するた
めの予約確認釦、３０９はＶＴＲ100とＩＲＤ200の現在の動作状態をスーパーインポーズ
表示させるための状態表示釦、３１０は設定画面や番組ガイド画面でカーソルを上下左右
に移動させるカーソル釦、３１１はカーソルが示す項目を決定する決定釦、３１２はテー
プを巻き戻す巻き戻し釦、３１３はテープを再生する再生釦、３１４はテープを早送りす
る早送り釦、３１５は記録を開始する記録釦、３１６はテープの走行を停止する停止釦で
ある。
【００１６】
再び図１の説明に戻ると、図示はしないが、ＶＴＲ100内部には、信号を記録する媒体
である磁気テープ、磁気テープに信号を記録する磁気ヘッド、磁気ヘッドを取り付けた回
転ドラム、磁気テープを走行させるキャプスタンなどのメカニズムがある。
【００１７】
次に、ＩＲＤ200とＴＶ250の構成要素を説明する。
【００１８】
２０１はデジタル放送信号を入力する入力端子、２０２は入力したデジタル放送信号を
復調するデジタル放送受信チューナである。２０３はデジタル放送受信チューナ202が受
信したデジタル信号をアナログ映像及び音声信号に変換して出力するデコーダである。ま
た、デコーダ203は、出力する映像信号をスーパーインポーズ表示やブルーバック表示に
して情報を表示する機能も備えている。本実施例では、デコーダ203の情報を表示する機
能は、設定画面や予約確認画面をブルーバック表示するために用いられる。２０４は変換
されたアナログ映像及び音声信号を出力する出力端子であり、ここから出力された映像及
び音声信号はＶＴＲ100の入力端子10に供給される。２２０はＩＲＤ200の動作全体の制御
を行うＩＲＤシステム制御回路であり、上記で説明したＩＲＤ200の全ての構成要素の制
御を行う。また、ＩＲＤシステム制御回路220は、デジタル放送受信チューナ202が受信し
たデジタル情報信号を入力し、この中から番組配列情報と呼ばれる、放送番組の番組名、
放送日時、内容などを含む情報を抽出して、近日中に放送される番組の内容を一覧にした
番組ガイド画面を作成し、デコーダ203により映像信号の画面として出力することができ
る。２６２はリモコンの受信部で、リモコンからのユーザーの操作要求をＩＲＤシステム
制御回路220に送信する。
【００１９】
なお、図３はデコーダ内部の構成を示すブロック図であり、圧縮されたデジタル信号を
伸張する伸張回路2031、デジタル信号の映像部分に情報をデジタル的に多重するデジタル
・オン・スクリーン・ディスプレイ回路（以下、デジタルＯＳＤ回路）2032、デジタル信
号をアナログ映像及び音声信号に変換するエンコーダ2033からなり、スーパーインポーズ
表示やブルーバック表示の実際の表示はデジタルＯＳＤ回路2032にて行われる。
【００２０】
再び図１の説明に戻ると、２５１はＴＶ250用の映像及び音声を入力する入力端子であ
り、ＶＴＲ100の出力端子16から供給される映像及び音声信号を入力する。２５２は入力
した映像信号を表示するモニタ画面である。
【００２１】
ＶＴＲ100とＩＲＤ200は通信線270で結ばれており、２７１と２７２は通信線270の接続
端子である。
【００２２】
本実施例で用いる通信の内容を、主語：動詞：主格目的語：目的補語に分けると、主語
は送信元の機器を示し、目的語は受信先の特定の動作状態や設定内容などを示し、動詞は
目的語で示したデータに対し値の設定または取得を指示し、目的補語は動詞が設定の時に
設定する内容を示す。
【００２３】
例えば、ＩＲＤ200がＶＴＲ100を記録状態にするには、主語＝ＩＲＤ、動詞＝設定、主
格目的語＝ＶＴＲの走行状態、目的補語＝記録となる。このような相手の状態を設定する
機能により、ＶＴＲ100がＩＲＤ200の電源オン/オフ切り替えやチャンネルの変更などの
操作を行うことや、ＩＲＤ200がＶＴＲ100の走行状態を記録、停止、再生などに切り替え
ることができるので、ＶＴＲ100とＩＲＤ200の電源を連動してオンにすることなどが可能
になる。
【００２４】
また、ＶＴＲ100がＩＲＤ200に受信中のチャンネル番号を聞くときは、主語＝ＶＴＲ、
動詞＝取得、主格目的語＝ＩＲＤのチューナのチャンネル番号となる。このような相手の
状態を取得する機能により、ＶＴＲ100がＩＲＤ200の動作状態を監視してその変化を検出
することができるので、動作状態が変化したときにはアナログＯＳＤ回路15でＩＲＤ200
の最新の状態を文字や図にして表示することが可能になる。本実施例では、スーパーイン
ポーズ表示でユーザーに情報知らせる状態表示画面ような画面は、ＩＲＤ200の動作状態
も含めて、ＶＴＲシステム制御回路20が制御するアナログＯＳＤ回路15にて表示を行う。
【００２５】
さらに、本プロトコルでは相手の機器が持っている主格目的語の種類とその名称、また
その主格目的語に設定できる目的補語の種類とその名称を知るための手段を持っている。
この機能により、ＩＲＤ200がＶＴＲ100の設定項目の種類とその名称、また設定項目に対
する選択肢の種類とその名称を取得して、デジタルＯＳＤ回路2032でＶＴＲ100用の設定
画面を表示することが可能になる。本実施例では、ブルーバック表示でユーザーに情報を
知らせる設定画面や予約画面などの画面は、ＶＴＲ100の情報も含めて、ＩＲＤシステム
制御回路220が制御するデジタルＯＳＤ回路2032にて表示を行う。
【００２６】
情報の表示の分担をこのようにするのは、以下の理由による。
【００２７】
デジタルＯＳＤ回路2032はデジタル放送の番組ガイド用の画面を表示する機能を持つの
で、アナログＯＳＤ回路15に比べて、画面の解像度が高い、色数が多い、第一水準以上の
漢字の表示ができる、などの利点があるが、アナログ放送受信チューナ12が出力する映像
や磁気ヘッドで再生した映像を背景にして文字を表示することはできない。そのため、本
実施例では、スーパーインポーズ表示はアナログＯＳＤ回路15、ブルーバック表示はデジ
タルＯＳＤ回路2032が表示するような分担としている。
【００２８】
なお、ＶＴＲ100とＩＲＤ200の間の実際の通信は、ＶＴＲシステム制御回路20とＩＲＤ
システム制御回路220の間で行われる。また、ＶＴＲ100とＩＲＤ200が正常に通信できて
いるときには、リモコン260から発信されるユーザーの操作要求は全てＶＴＲシステム制
御回路20が受信し、ＩＲＤシステム制御回路220は受信動作を中断する。
【００２９】
この記録再生装置の動作を、リモコン260の各種の釦が押されたときの動作を説明する
。
【００３０】
リモコン260の電源釦300が押されると、ＶＴＲシステム制御回路20はＶＴＲ100の電源
をオンの状態にすると共に、電源オンの要求をＩＲＤ200に送信し、ＩＲＤシステム制御
回路220はこれを受信してＩＲＤ200の電源をオンの状態にする。これにより、ＶＴＲ100
とＩＲＤ200の電源状態は連動してオン/オフする。
【００３１】
このときに、入力切替スイッチ13の接点がＡ側に接続していれば、入力端子11からＶＴ
Ｒ100に入力したアナログ放送信号はアナログ放送受信チューナ12で映像及び音声に変換
され、入力切替スイッチ13、信号処理回路14、アナログＯＳＤ回路14（映像信号のみ）を
介して出力端子16から出力され、アナログ放送受信チューナで受信した番組がＴＶ250で
視聴できる。また、入力切替スイッチ13の接点がＤ側に接続していれば、入力端子201か
らＩＲＤ200に入力したデジタル放送信号はデジタル放送受信チューナ202でデジタル情報
信号に変換され、デコーダ203でアナログの映像及び音声信号に変換され、出力端子204か
ら出力される。さらに、これらの信号は入力端子10からＶＴＲ100に入力され、入力切替
スイッチ13、信号処理回路14、アナログＯＳＤ回路15（映像信号のみ）を介して出力端子
16から出力され、デジタル放送の番組がＴＶ250で視聴できる。
【００３２】
リモコン260の状態表示釦309が押されると、ＶＴＲシステム制御回路20は入力切替スイ
ッチ13の接続先に応じて、以下の処理を行う。
【００３３】
入力切替スイッチ13の接点がＡ側に接続しているときは、ＶＴＲシステム制御回路20は
、「停止、記録、再生」などのＶＴＲ100の動作モードとアナログ放送受信チューナ12の
受信チャンネルの情報をアナログＯＳＤ回路15に送信し、これらの情報を映像信号に多重
するようにアナログＯＳＤ回路15へ指示する。
【００３４】
次に、入力切替スイッチ13の接点がＤ側に接続しているときは、ＶＴＲシステム制御回
路20は、ＩＲＤ200からデジタル放送受信チューナ202が受信しているチャンネル番号を取
得し、上記ＶＴＲの動作モードと取得したデジタル放送の受信チャンネルの情報をアナロ
グＯＳＤ回路15により表示する。
【００３５】
リモコン260のチャンネルアップ釦302が押されると、ＶＴＲシステム制御回路20は入力
切替スイッチ13の接続先に応じて、以下の処理を行う。
【００３６】
入力切替スイッチ13の接点がＡ側に接続しているときは、ＶＴＲシステム制御回路20は
、次に選局するアナログ放送のチャンネル番号を検索して、検索したチャンネルにアナロ
グ放送受信チューナ12をチューニング制御すると共に、アナログＯＳＤ回路15にチャンネ
ル番号の表示要求を出し、モニタ画面252上には選局したアナログ放送の映像とそのチャ
ンネル番号が映し出される。このときのＶＴＲ100の動作は、従来のＶＴＲの動作と同じ
である。
【００３７】
次に、入力切替スイッチ13の接点がＤ側に接続しているときは、ＶＴＲシステム制御回
路20はＩＲＤ200にチャンネルアップの要求を送信する。ＩＲＤシステム制御回路210はそ
れを受信して、次に選局するデジタル放送のチャンネル番号を検索して、検索したチャン
ネルにデジタル放送受信チューナ202をチューニング制御する。ＶＴＲシステム制御回路2
0はＩＲＤ200の受信チャンネルが変更されたことを検出して、アナログＯＳＤ回路13にそ
のチャンネル番号の表示要求を出し、モニタ画面252上には選局したデジタル放送の映像
とそのチャンネル番号が表示される。
【００３８】
なお、上記の動作は、入力切替スイッチ13により放送信号の種類を選択してからチャン
ネルアップ釦やチャンネルダウン釦により所定のチャンネルに選局するという選局の方法
の一例であり、例えば、チャンネルアップ釦によりアナログ放送とデジタル放送を含んだ
ループで巡回させたり、数字釦によりダイレクトに所定の放送の所定のチャンネルに選局
することも考えられるが、このときのＶＴＲ100及びＩＲＤ200の間で行われる通信と制御
の内容については容易に推測できるので特に説明しない。
【００３９】
リモコン260の設定画面釦307が押されると、設定画面の表示はＩＲＤ200のデコーダ203
で行うので、 ＶＴＲシステム制御回路20はＩＲＤ200に設定画面表示の要求を送信する。
ＩＲＤシステム制御回路220はこれを受信して設定画面用のデータを作成してデコーダ203
に表示要求を出す。また、ＶＴＲシステム制御回路20はＩＲＤ200が設定画面を表示した
ことを検出して、映像入力切替スイッチ13Vを接点Ｄ側に接続する。これにより、ＩＲＤ2
00から出力される設定画面は、入力端子10VからＶＴＲ100に入力され、映像入力切替スイ
ッチ13V、映像信号処理回路14V、アナログＯＳＤ回路15、出力端子16Vを介してＴＶ250の
入力端子に供給され、モニタ画面252上に設定画面が表示される。
【００４０】
図４はＩＲＤ200が表示する設定画面の一例を示したものである。画面400は各種設定画
面を選択する選択画面の一例である。ここで、４０１の斜線部は現在のカーソル位置を示
している。
【００４１】
ＩＲＤ200が設定画面を表示しているときは、ＶＴＲシステム制御回路20は設定画面で
使用される釦の要求を受け付けると、その内容をＩＲＤ200に無条件に送信し、ＩＲＤシ
ステム制御回路220は受信した内容に従い設定画面を切り替えたり、設定項目の内容の変
更を行う。ここで、設定画面で使用される釦は、設定画面内の設定項目を選択するための
カーソル釦310、選択肢を決定する決定釦311、数字を入力する数字釦300である。
【００４２】
画面400で、「ビデオモード設定」上にカーソルがあるときに決定釦311が押されると、
ＩＲＤシステム制御回路220はＶＴＲ100が保持する設定項目の種類とその名称、またその
選択肢とその名称、さらに現在の設定内容をＶＴＲ100から取得し、ＶＴＲ用の設定画面
を作成し、デコーダ203にビデオモード設定画面を表示させる。
【００４３】
画面410はＩＲＤ200が表示するビデオモード設定画面の一例を示したものである。ここ
で、４１１は現在のカーソル位置を示し、４１２、４１３、４１４は現在選択されている
項目を示している。ユーザーは設定を変更する項目の選択肢にカーソルを移動させて決定
釦311を押して設定内容を変更するが、画面410で決定釦311が押されると「再生ＣＭスキ
ップ」モードが「入」から「切」に切り替わる。
【００４４】
設定項目の内容が変更されたときには、ＩＲＤシステム制御回路220は変更された項目
の内容をＶＴＲ100に送信し、ＶＴＲシステム制御回路20はこれを受信して、内部の状態
データを書き換える。
【００４５】
設定画面上の「設定終了」上にカーソルがあるときに決定釦311が押されると、ＩＲＤ
システム制御回路220はこれを検出して設定画面の表示を終了させる。
ＶＴＲシステム制御回路20は設定画面の表示が終了したことを検出して、リモコン260の
操作要求の処理を通常動作に戻し、映像入力切替スイッチ13Vをメニュー画面の表示前の
状態に戻す。
【００４６】
ここで、ＶＴＲシステム制御回路20はＩＲＤ200が設定画面を表示しているときには、
リモコン260からの状態表示要求を無視する。また、状態表示中に設定画面が表示された
ときは、状態表示を終了させる。これはＩＲＤ200がブルーバック表示する設定画面とＶ
ＴＲ100がスーパーインポーズ表示する状態表示画面が重ならないようにするためである
。
【００４７】
また、ＶＴＲシステム制御回路20は、記録中はリモコン260からの設定画面表示の要求
を無視する。これは記録する映像信号が設定画面にならないようにするためである。
【００４８】
リモコン260の番組ガイド釦306が押されると、ＶＴＲシステム制御回路20はＩＲＤ200
に番組ガイド表示を要求し、ＩＲＤシステム制御回路220はそれを受信して、デジタル放
送受信チューナ202が受信したデジタル情報信号に含まれる番組配列情報から、放送番組
の番組名、放送日時、内容などの情報を抽出して、近日中に放送される番組の内容を一覧
にした番組ガイドを画面を作成する。さらに、ＩＲＤシステム制御回路220はＶＴＲ100に
登録されているチャンネル番号を取得して、アナログ放送のチャンネルを番組ガイド画面
に含んだ形に変換する。
【００４９】
図５は本実施例で表示する番組ガイド画面の一例を示す図である。チャンネル番号が１
００以上のものがデジタル放送の番組であり、番組配列情報から取得した番組のタイトル
と放送時間が示されている。チャンネル番号が１００未満のものがアナログ放送の番組で
あり、チャンネル毎に１５分単位で区切ったブロックで構成している。
【００５０】
デジタル放送の番組を予約するときには、カーソルを希望する番組に持っていき決定釦
311で決定する。希望する番組を決定すると、ＩＲＤシステム制御回路220は指定された番
組のチャンネル番号、開始時刻、終了時刻を予約情報として抜き出してＶＴＲ200へ送信
する。ＶＴＲシステム制御回路20はそれを受信して、予約情報として保存する。
【００５１】
アナログ放送の番組を予約するときには、希望するチャンネル毎の１５分単位のブロッ
クを幾つか選んで開始時刻と終了時刻を１５分単位で決定する。まず、希望するチャンネ
ルの開始時刻に相当するブロックを選択して決定し、次に同じチャンネルの終了時刻に相
当するブロックを選択して決定することで、両者のブロックの間に含まれる全てのブロッ
クが選択される。画面500は、２７日木曜日の１７：１５〜１８：１５にアナログ放送の
８チャンネルが予約された場合の画面を示している。ＩＲＤシステム制御回路220は選択
された複数のブロックから
、チャンネル番号、開始時刻、終了時刻を予約情報として抜き出してＶＴＲ100へ送信す
る。ＶＴＲシステム制御回路20はそれを受信して、予約情報として保存する。
【００５２】
リモコン260の予約確認釦308が押されると、ＶＴＲ100とＩＲＤ200では上記で説明した
設定画面表示のときと同様な通信と動作を行う。ただし、予約確認画面を生成するために
、ＩＲＤシステム制御回路220はＶＴＲ100が保存している予約の内容を取得するための要
求をＶＴＲ100に送信し、その返信を受けて、予約確認画面を作成するという動作が追加
される。
【００５３】
予約確認画面にて予約内容が削除されたときには、ＩＲＤシステム制御回路220は削除
された特定の予約の削除要求をＶＴＲ100に送信し、ＶＴＲシステム制御回路20はこれを
受信して保存している予約内容から対応する予約情報を削除する。
【００５４】
なお、本実施例では予約の内容をＶＴＲ100が保持するような例としているが、これを
、例えば、アナログ放送の予約内容はＶＴＲ100が保持し、デジタル放送の予約内容はＩ
ＲＤ200が保持するような例としたり、全ての予約内容をＩＲＤ200が保持するようにして
もよい。
【００５５】
このときは、予約設定が完了したときの予約情報の送受信、予約確認画面の表示を行う
ときの予約情報の取得要求の送受信、予約の削除が行われたときの削除要求の送受信など
の動作は上記で説明したものとは異なるものになるが、これらは容易に考えられるので特
に説明しない。
【００５６】
リモコン260の再生釦313が押されると、ＶＴＲシステム制御回路20は信号処理回路14と
回転ドラムやキャプスタンなどのメカニズムを再生モードに設定して、ＶＴＲ100の動作
を再生状態にする。同時に、アナログＯＳＤ回路15に「再生」文字の表示要求を指示する
。
【００５７】
磁気ヘッドで再生された信号は映像及び音声信号処理回路14で再生処理され、アナログ
ＯＳＤ回路15（映像信号のみ）、出力端子16から出力され、ＴＶ250で再生中の映像及び
音声が視聴できる。
【００５８】
なお、再生中にメニュー画面や予約画面を表示させるときの動作は、上記で示した停止
時の動作と同じである。
【００５９】
リモコン260の記録釦315が押されると、ＶＴＲシステム制御回路20は信号処理回路14と
回転ドラムやキャプスタンなどのメカニズムを記録モードに設定して、ＶＴＲ100の動作
を記録状態にする。同時に、アナログＯＳＤ回路15に「記録」文字や記録中のチャンネル
番号などの表示要求を出す。
【００６０】
入力切替スイッチ13で選択された信号は映像及び音声信号処理回路で記録処理され、磁
気ヘッドにて磁気テープ上に記録されると共に、アナログＯＳＤ回路15（映像信号のみ）
、出力端子16から出力され、ＴＶ250で記録中の映像及び音声が視聴できる。
【００６１】
なお、上記でも説明したが、ＶＴＲシステム制御回路20は、記録中はリモコン260から
の設定画面の表示要求や予約確認画面の表示要求を受け付けない。これは記録する映像信
号が設定画面や予約確認画面にならないようにするためである。
【００６２】
最後に、予約による記録について説明する。本実施例では、ＶＴＲ100が予約の情報を
保持しているので、予約の実行もＶＴＲ100が行う例を示している。
【００６３】
まず、アナログ放送の予約の実行について説明する。
【００６４】
予約の開始時刻になったら、 ＶＴＲシステム制御回路20は、ＶＴＲ100の電源をオンに
し、入力切替スイッチ13を接点Ａ側に接続し、アナログ放送受信チューナ12を予約したチ
ャンネルへチューニングしてから、記録を開始する。これにより、予約したアナログ放送
の番組が記録される。また、予約の終了時刻になったら、記録を終了し、ＶＴＲ100の電
源をオフにする。
【００６５】
次に、デジタル放送の予約の実行について説明する。
【００６６】
予約の開始時刻になったら、ＶＴＲシステム制御回路220は、ＶＴＲ100とＩＲＤ200の
電源をオンにし、入力切替スイッチ13を接点Ｄ側に接続し、ＩＲＤ200を予約したチャン
ネルへチューニングしてから、記録を開始する。これにより、予約したデジタル放送の番
組が記録される。また、予約の終了時刻になったら、記録を停止し、ＶＴＲ100とＩＲＤ2
00の電源をオフにする。
【００６７】
なお、本実施例ではＶＴＲ100が全ての予約内容を保持するようにしているので、ＶＴ
Ｒ100が予約の実行を行っているが、逆に、全ての予約内容をＩＲＤ200が保持して、ＩＲ
Ｄ200が予約の実行を行うということも考えられる。このときは、ＶＴＲ100とＩＲＤ200
の電源立ちあげ、入力切替スイッチ11の切替制御、アナログ放送またはデジタル放送受信
チューナのチューニング、ＶＴＲ100の記録の開始という一連の動作をＩＲＤ200が行うこ
とも考えられ、同じような動作を行うには多種多様な方法があるが、これらは容易に考え
られるので特に説明しない。
【００６８】
なお、ＶＴＲ100がＩＲＤ200と通信できなくなった場合には、ＶＴＲシステム制御回路
20はＩＲＤ200が通信線270つながっていないものと判断して、ＶＴＲの動作を従来の動作
に戻し、設定画面や予約画面などの表示をアナログＯＳＤ回路15にて行う。同様に、ＩＲ
Ｄ200がＶＴＲ100と通信できなくなった場合には、ＩＲＤシステム制御回路220はＶＴＲ1
00が通信線270つながっていないものと判断して、ＩＲＤの動作を従来の動作に戻し、現
在の受信チャンネル番号などの状態表示をデコーダ203にて行う。
【００６９】
このときのＶＴＲ100とＩＲＤ200の操作は、それぞれの専用のリモコンを用いて行う。
【００７０】
図６と図７は、ＶＴＲ100とＩＲＤ200の通信ができないときに、ＩＲＤ200とＶＴＲ100
が表示する各々の設定画面を示したものであり、デジタル放送の副音声を３倍の速度で記
録するときの操作を、図６と図７を用いて説明する。
【００７１】
まず、ＩＲＤ専用リモコンを用いて、ＩＲＤの音声を副音声に選択する方法を説明する
。
【００７２】
最初に、設定画面釦を押して設定画面の選択画面600を表示する。ＩＲＤ200が表示する
画面では、カーソル釦にてカーソルを変更したい項目に移動させて決定釦を押すことで、
その内容に関連する項目の設定画面が表示される。ここで、６０１の斜線部はカーソルの
位置を示している。
【００７３】
今回は音声信号を選択するために、カーソルを「映像・音声・データ選択」の所に持っ
ていき決定釦を押して映像・音声・データ設定画面610を表示させる。ここで６１１の斜
線部は現在のカーソル位置を示し、６１２、６１３、６１４の斜線部は現在の設定されて
いる項目を示している。設定画面610では、音声は「主」音声が設定されているので、カ
ーソルを「副」音声の所に持っていき決定ボタンを押して「副」音声に設定を変更する。
最後に、カーソルを画面右下の「設定終了」へ持っていき決定ボタンを押して音声の設定
を終了する。
【００７４】
次に、ＶＴＲ専用リモコンを用いて、ＶＴＲの記録テープ速度を３倍に設定する方法を
説明する。
【００７５】
最初に設定画面釦を押して設定画面の選択画面700を表示させる。ＶＴＲ100が表示する
画面では、変更したい設定内容に相当する数字釦を押すと、その内容に関連する項目の設
定画面が表示される。ここでは、数字釦の「２」を押して、ビデオモード設定画面710を
表示させる。ここで、７１１のように斜線を施してい
る部分は現在の設定内容を示している。現在、記録テープ速度は「標準」が設定されてい
るので、数字釦「５」を押して記録テープ速度を「３倍」に設定する。なお、もう一度数
字釦「５」を押すと記録テープ速度は「標準」に戻る。最後に、設定画面釦を押して設定
を終了する。
【００７６】
最後に、記録ボタンを押してＶＴＲ100を記録状態にすることで、デジタル放送の番組
を「副音声、３倍モード」で記録することができる。
【００７７】
図８と図９は、ＶＴＲ100とＩＲＤ200の通信ができないときに、ＩＲＤ200が表示する
番組ガイド画面とＶＴＲ100が表示する予約設定画面を示したものであり、デジタル放送
の予約録画を行うときの操作を、図８と図９を用いて説明する。
【００７８】
まず、ＩＲＤ専用リモコンを用いて、ＩＲＤで希望する番組を予約する方法を説明する
。
【００７９】
最初に、番組ガイド釦を押して番組ガイド画面800を表示させる。番組ガイド画面には
近日中に放送される番組の放送日時とタイトルが一覧表示されている。番組ガイド画面で
は、カーソル釦にて希望する番組にカーソルを持っていき、決定ボタンを押すとその番組
が予約される。ここで、８０１の斜線部は現在のカーソルの位置を示している。画面800
では、２７日木曜日の１７：００から１８：３０に１７１チャンネルで放送されるニュー
スを予約しようとしており、ここで決定釦を押すとニュースが予約され、所定の時刻にな
ると１７１チャンネルの受信が始まる。
【００８０】
次に、ＶＴＲ専用リモコンを用いて、ＶＴＲの予約を設定する方法を説明する。
【００８１】
最初に、予約設定釦を押して予約設定画面900を表示させる。予約設定画面では、チャ
ンネル、記録日、開始時刻、終了時刻を数字釦で入力して予約を設定する。なお、チャン
ネルに「００」を入力したときはＶＴＲの外部入力端子から入力している信号を選択する
。画面910は数字釦を「００２７１７００１８３０」の順に押したときの画面を示してお
り、予約の内容は「２７日の１７：００〜１８：３０に外部入力の信号を記録する」とい
う内容である。全ての項目を入力して予約設定釦を押すと、設定した予約が保存され予約
画面を終了する。
【００８２】
このように、デジタル放送の番組を予約録画するためには、ＩＲＤとＶＴＲの双方に予
約を設定する必要があり、さらにユーザーはＩＲＤで予約した番組の放送日時、開始時刻
、終了時刻をメモして、ＶＴＲにそれらの情報を入力する必要がある。
【００８３】
このように、ＶＴＲ100とＩＲＤ200が通信できない場合には、ユーザーの操作は非常に
わずらわしいものとなるが、デジタル放送の番組を所定のモードで記録したり予約記録す
ることは可能である。
【００８４】
図１０は本発明による記録再生装置の第二の実施例を示すブロック図である。
【００８５】
本実施例は、リモコン260からの操作要求をＩＲＤ200が受信してＩＲＤ200とＶＴＲ100
の操作を行うという例である。図において、２６２はリモコンの受信部で、リモコン260
からのユーザーの操作要求をＩＲＤシステム制御回路220に送信する。
【００８６】
図１０の装置における動作をリモコン260の設定画面釦307が押されたときの動作を説明
する。
【００８７】
リモコン30の設定画面釦307が押されるとＩＲＤシステム制御回路220はこれを検出して
設定画面を作成してデコーダ203に表示要求を出す。ＶＴＲシステム制御回路20はＩＲＤ2
00が設定画面の表示をしたことを検出して映像入力切換スイッチ13Vを接点Ｄ側に接続す
る。これにより設定画面がモニタ画面252上に表示される。
【００８８】
もし、ＶＴＲ100が記録中の場合には、記録中の映像信号が設定画面にならないように
、ＶＴＲシステム制御回路20は設定画面の終了の要求をＩＲＤ200に送信し、映像入力切
替スイッチ13Vの状態をそのままにしておく。
【００８９】
ただし、この方法ではデジタル放送の番組を記録しているときには、ＩＲＤ200がＶＴ
Ｒ100からの設定画面の終了要求を受け取るまで設定画面が磁気テープ上に記録されてし
まうことになる。そのため、ＩＲＤ200が設定画面の表示を開始する前に、ＶＴＲ100が出
力する映像をデジタル放送の映像にするように要求して、ＶＴＲ100に拒否されたら表示
をキャンセルしたり、ＩＲＤシステム制御回路220がＶＴＲ100の走行状態を監視して、Ｖ
ＴＲ100が記録中の時には設定画面の表示要求をキャンセルするように動作することも考
えられる。
【００９０】
なお、ＶＴＲ100の専用リモコンとＩＲＤ200用の専用リモコンの両方を用いて操作する
場合も考えられるが、このときのＶＴＲ100とＩＲＤ200の通信及び動作の内容は容易に推
測できるので特に説明をしない。
【００９１】
図１１は本発明による記録再生装置の第三の実施例を示すブロック図である。
【００９２】
この例では、アナログＯＳＤ回路15の直前にＶＴＲ100で記録再生している映像信号と
ＩＲＤ200から供給される映像信号を選択して出力する映像出力切替スイッチ40Vを設けて
いる例を示している。
【００９３】
この場合は、映像出力切換スイッチ40Vを接点Ｄ側にすることでＩＲＤ200が表示する設
定画面をＶＴＲ100から出力することが可能になるので、アナログ放送の番組を記録しな
がらＩＲＤ200による情報の表示が可能になる。
【００９４】
図１２は本発明による記録再生装置の第四の実施れを示すブロック図である。
【００９５】
この例では、図１で用いているデコーダ203の代わりに、デジタルＯＳＤ回路2032によ
り情報を表示する映像信号に加えて、デジタル放送の映像を常に映す記録用の映像信号を
出力する機能を持つデコーダ213を用いている例を示している。
【００９６】
図１３はデコーダ213の内部の構成要素を示すブロック図である。図１３のデコーダ213
は図３のデコーダ203にエンコーダ小2032を一つ追加し、伸張回路2031から出力されるデ
ジタル信号を追加したエンコーダ2033に直接に供給している。これによりデジタルＯＳＤ
回路2032を介さない映像信号には設定画面などの情報表示が行われないので記録用として
用いることができる。
【００９７】
また、ＶＴＲ100にはＩＲＤ200が出力する２種類の映像信号を入力する端子を設け、入
力切換スイッチ13につながっている映像入力端子10Vには前記の記録用の映像信号を供給
し、新たに設けた映像入力端子50には設定画面などの情報が表示される映像信号を供給す
る。
【００９８】
この場合は、映像出力切換スイッチ40Vを接点Ｄ側にすることで、アナログ放送の記録
中に加えてデジタル放送の記録中もＩＲＤ200が表示する設定画面などの情報の表示が可
能になる。
【００９９】
図１４は本発明による記録再生装置の第五の実施例を示すブロック図である。
【０１００】
この例では、ＶＴＲ100はアナログ映像及び音声信号とデジタル情報信号の一方を選択
して記録し、再生する記録再生装置としている。
【０１０１】
デジタル情報信号の記録時は、ＶＴＲシステム制御回路20は入力切替スイッチ13を接点
Ｄ側に、デジタル信号入力切換スイッチ230を接点Ｒ側に接続する。
【０１０２】
そして、デジタル放送受信チューナ202で受信したデジタル情報信号は、デジタル信号
出力端子231から出力され、デジタル入力端子50よりＶＴＲ100に入力され、デジタル信号
処理回路51で記録処理されて磁気ヘッドで磁気テープ上に記録される。同時に、デジタル
情報信号はデコーダ203でアナログ映像及び音声信号に変換されて出力端子204から出力さ
れる。このデジタル放送の映像及び音声信号は入力端子10からＶＴＲに入力され、入力切
替スイッチ13、信号処理回路14、アナログＯＳＤ回路15（映像信号のみ）を介して出力端
子16から出力されＴＶ300に供給される。これにより、ＴＶ300でデジタル記録している番
組の映像及び音声が視聴できる。
【０１０３】
このときに、ＩＲＤ200がデジタル出力端子231から出力するデジタル情報信号はデジタ
ルＯＳＤ回路2032により情報信号を加える前の信号なので、デジタルＯＳＤ回路2032にて
情報を表示してもデジタル記録しているデジタル情報信号には何ら影響を及ぼさない。そ
のため、前記第三と第四の実施例のように映像出力スイッチを設けなくてもデジタル記録
中にはＩＲＤ200により情報の表示が可能になる。
【０１０４】
なお、デジタル情報信号の再生時には、ＶＴＲシステム制御回路20は入力切替スイッチ
13を接点Ｄ側に、デジタル信号入力切換スイッチ230を接点Ｐ側に接続する。
【０１０５】
そして、磁気ヘッドで再生したデジタル情報信号はデジタル信号処理回路51で再生処理
されてデジタル出力端子52から出力され、デジタル入力端子232からＩＲＤ200に入力され
、デジタル信号入力信号切換スイッチ230、デコーダ203を介して出力端子204からアナロ
グ映像及び音声信号として出力される。これらの信号は再びＶＴＲ100に入力され、デジ
タル記録時と同じ経路を通ってＴＶ300に供給される。これにより、デジタル再生中して
いる映像及び音声が視聴できる。
【０１０６】
なお、アナログ信号を記録または再生するときの動作は、図１の装置の動作と同じであ
る。
【０１０７】
図１５は本発明による記録再生装置の第六の実施例を示すブロック図である。
【０１０８】
この例では、ＶＴＲ100とＩＲＤ200を分離した形ではなく、一体化した記録再生装置と
している。この場合は、ＶＴＲ100とＩＲＤ200の間を行き来する各信号のための入出力端
子は不要となる。
【０１０９】
また、ＩＲＤ200はＶＴＲ100が保持する設定項目の種類とその名称、その選択肢とその
名称などはあらかじめ分かっているので、それらの設定項目の現在の状態だけを取得すれ
ばＶＴＲ用の設定画面を作成できる。
【０１１０】
なお、図１、図１０、図１１、図１２、図１４、図１５の実施例では、ＶＴＲ100とＩ
ＲＤ200の操作をリモコンを用いて行ったが、これをＶＴＲ100やＩＲＤ200の本体に配置
した操作釦を用いて行うことも可能である。また、ＶＴＲ100とＩＲＤ200の状態を情報と
して出力する手段をＯＳＤ回路を用いた画面によるものにしているが、これを音声による
情報の出力とすることも考えられる。
【図面の簡単な説明】
【０１１１】
【図１】本発明による記録再生装置の一実施例を示すブロック図。
【図２】本発明で用いる操作用リモコンの外観を示す図。
【図３】本発明で用いるデコーダの構成例を示すブロック図。
【図４】本発明でＩＲＤが表示する設定画面の一例を示す図。
【図５】本発明でＩＲＤが表示する番組ガイド画面の一例を示す図
【図６】従来のＩＲＤが表示する設定画面の一例を示す図。
【図７】従来のＶＴＲが表示する設定画面の一例を示す図。
【図８】従来のＩＲＤが表示する番組ガイド画面の一例を示す図。
【図９】従来のＶＴＲが表示する予約設定画面の一例を示す図。
【図１０】本発明による他の構成例を示すブロック図。
【図１１】本発明による他の構成例を示すブロック図。
【図１２】本発明による他の構成例を示すブロック図。
【図１３】図１２の実施例で用いるデコーダの構成例を示すブロック図。
【図１４】本発明による他の構成例を示すブロック図。
【図１５】本発明による他の構成例を示すブロック図。
【符号の説明】
【０１１２】
１００・・・ＶＴＲ、
１０・・・入力端子、１１・・・アナログ放送入力端子、１２・・・アナログ放送受信チ
ューナ、１３・・・入力切替スイッチ、１４・・・信号処理回路、１５・・・アナログＯ
ＳＤ回路、１６・・・出力端子、２０・・・ＶＴＲシステム制御回路、３０・・・ＶＴＲ
操作リモコン、３１・・・リモコン受信回路、４０・・・出力切替スイッチ、
５０・・・デジタル信号入力端子、５１・・・デジタル信号処理回路、５２・・・デジタ
ル信号出力端子、
２００・・・ＩＲＤ、
２０１・・・デジタル放送入力端子、２０２・・・デジタル放送受信チューナ、
２０３・・・デコーダ、２０４・・・出力端子、２２０・・・ＩＲＤシステム制御回路、
２３０・・・デジタル信号入力切換スイッチ、２３１・・・デジタル信号出力端子、
２３２・・・デジタル信号入力端子、
２５０・・・ＴＶ、
２５１・・・入力端子、２５２・・・モニタ画面、
２６０・・・リモコン、
２７０・・・通信線。
【図１】
0004591479.tif 000002
【図２】
0004591479.tif 000003
【図３】
0004591479.tif 000004
【図４】
0004591479.tif 000005
【図５】
0004591479.tif 000006
【図６】
0004591479.tif 000007
【図７】
0004591479.tif 000008
【図８】
0004591479.tif 000009
【図９】
0004591479.tif 000010
【図１０】
0004591479.tif 000011
【図１１】
0004591479.tif 000012
【図１２】
0004591479.tif 000013
【図１３】
0004591479.tif 000014
【図１４】
0004591479.tif 000015
【図１５】
0004591479.tif 000016